(57)【要約】【課題】従来、頭付きスタッドや異形棒鋼を工場で溶接固定した構造物を現地にて取付けを行う場合、現地の鉄筋などの干渉物との調整のための構造物の位置変更、鉄筋の切断、補強などの改造が取付け現場で発生していた。【解決手段】本発明品は、現地での位置調整が可能な固定方法、また、取り外し可能な固定方法を有するシアコネクタであり、構造物の位置変更、鉄筋の改造を行うことなく干渉物を回避した位置でシアコネクタが接合出来る固定方法、また、シアコネクタを取り外しておくことで、配筋作業中に鉄筋にシアコネクタが干渉しない効率よい作業性が確保された固定方法を提供する。【選択図】図１
2018062837.tif 000002
【特許請求の範囲】
【請求項１】
シアコネクタの形状について、予め構造物に任意の位置に取り付けた雄ねじボルトに対し、その雄ねじボルトに差し込み、それを軸に回転して位置調整ができるリング形状の取り付け台座を有することを特徴とした形状のシアコネクタ。
【請求項２】
シアコネクタの取り付け方法について、構造物に取り付けた雄ねじボルトに対し、リング形状の取り付け部を有することを特徴とした形状のシアコネクタを用い、雄ねじボルトとリング形状の取り付け台座をナットで固定し、ボルトを軸に回転して位置調整ができることを特徴とした固定方法。
【請求項３】
シアコネクタの取り付け方法について、構造物に取り付けた雄ねじボルトに対し、リング形状の取り付け部を有することを特徴とした形状のシアコネクタを用い、シアコネクタを雄ねじボルトが接合されている構造物から着脱することを可能とすることを特徴とした固定方法。
【発明の詳細な説明】
【技術分野】
【０００１】  本発明は、シアコネクタの形状と固定機構に工夫を加えることにより、シアコネクタの着脱、及び、位置調整が可能な固定方法を実現し、それによりそのシアコネクタを取付けた構造物において、据え付け現場での構造物全体の取付け位置調整の労力低減、精度向上を実現する。
【背景技術】
【０００２】  従来の頭付きスタッドや異形棒鋼によるシアコネクタの固定方法においては、溶接にて直接鋼板、型鋼などに固定する方法、取り付けボルトを鋼板、型鋼などに溶接しねじを切ったシアコネクタと延長ナットで延長接合する方法、鋼板、型鋼などに孔を空けボルト、ナットで固定する方法などがある。
【発明の開示】
【発明が解決しようとする課題】
【０００３】  しかし、従来の方法では、頭付きスタッドや異形棒鋼を溶接にて直接鋼板、型鋼など構造物に固定する方法においては、固定後は位置の調整や取り外しが出来ない欠点があり、それにより、シアコネクタとコンクリート構造物内に設置される鉄筋との干渉が発生した場合、シアコネクタの位置の調整ができないことよりシアコネクタを取り付けた構造物全体の位置をずらすか、鉄筋の位置をずらす、切断、補強するなどの調整が必要となることや、シアコネクタの取り外しが出来ないことより、シアコネクタを取り付けた構造物の設置を先行した場合、鉄筋を配置する際の作業性が悪く、且つ、既定の位置に配置できないといった問題がある。
また、取り付けボルトを鋼板、型鋼などに溶接し、ねじを切ったシアコネクタと延長ナットで延長接合する方法においては、取り外しができない欠点は解消されるものの、シアコネクタと鉄筋の干渉が発生した場合位置の調整ができない欠点は解消されない。鋼板、型鋼などに孔を空けボルト、ナットで固定する方法も同様である。
本発明は、そのような頭付きスタッドや異形棒鋼によるシアコネクタを設置した構造物の、据え付け現場での取付け位置調整の労力低減、取付け位置精度向上に関する問題を解決することを課題とする。
【課題を解決するための手段】
【０００４】  この課題を解決するための発明は、取り外しが可能であり、固定位置を調整できるリング状の取り付け台座を有することを特徴としたシアコネクタを用いた、シアコネクタの構造物への固定方法である。
【発明の効果】
【０００５】  本発明は、従来、頭付きスタッドや異形棒鋼を工場で溶接固定した構造物を現地にて取付けを行う場合発生していた、現地の鉄筋などの干渉物との調整のための構造物の位置変更、鉄筋の切断、補強などの現場での改造について、現地での位置調整が可能な固定方法、また、取り外し可能な固定方法を有するシアコネクタである本発明品を使用することにより、構造物の位置変更、鉄筋の改造を行うことなく干渉物を回避した位置でシアコネクタが接合出来る固定方法、また、シアコネクタを取り外しておくことで、配筋作業中に鉄筋にシアコネクタが干渉しない効率よい作業性が確保された固定方法を提供する。
【図面の簡単な説明】
【０００６】
【図１】本発明品の組み立て後の状態を示す。
【図２】シアコネクタで定着させる鋼板、または、型鋼を設置する際に、従来の溶接固定シアコネクタを用いた場合に発生する鉄筋との干渉状態の立面図を示す。
【図３】シアコネクタで定着させる鋼板、または、型鋼を設置する際に、従来の溶接固定シアコネクタを用いた場合に発生する鉄筋との干渉状態の等角投影図を示す。
【図４】シアコネクタで定着させる鋼板、または、型鋼を設置する際に、今回の発明品である改良型シアコネクタを取り付けるためのねじ付きスタッドが溶接された鋼板、または、型鋼が所定の位置に固定された状態の等角投影図を示す。
【図５】改良型シアコネクタをねじ付きスタッドに差し込んだ状態の等角投影図を示す。
【図６】改良型シアコネクタとねじ付きスタッドを締め付け固定用ナットで固定した状態の等角投影図を示す。
【符号の説明】
【０００７】１  着脱及び取付け位置調整機構を有する改良型シアコネクタ本体
２  同上リング状取付け台座部
３  ねじ付きスタッド
４  締め付け固定用ナット
５  コンクリートにシアコネクタで定着させる鋼板、または、型鋼
６  鉄筋
７  従来の頭付きスタッド、または、異形棒鋼などのシアコネクタ
【発明を実施するための形態】
【０００８】以下、本発明の実施の形態を図１〜図５に基づいて説明する。
【０００９】図１は本発明品の組み立て後の状態を示す。着脱及び取付け位置調整機構を有する改良型シアコネクタは、１の本体と、２のリング状取付け台座からなり、台座部分を、予め鋼板等構造物に溶接された３のねじ付きスタッドに差し込み、４の締め付け固定用ナットにより固定して組み立てる。
【００１０】次に図２及び図３に、コンクリートにシアコネクタで定着させる鋼板、または、型鋼を設置する際に、従来の頭付きスタッド、または、異形棒鋼などのシアコネクタを用いた場合に発生するシアコネクタと鉄筋との干渉状態を示す。
５のコンクリートにシアコネクタで定着させる鋼板、６の鉄筋、７の従来の頭付きスタッド、または、異形棒鋼などのシアコネクタは図に示す位置に設置しようとしている。ただし６と７は干渉する位置関係のためこの状態では設置できず、定着させる鋼板の位置を変更するか、鉄筋の位置を変更するかの調整が必要となる。
【００１１】次に図４、図５及び図６に、本発明品である、取り付け位置調整機構付き改良型シアコネクタを用い、鉄筋との干渉状態を解消し、定着させる鋼板の位置変更、鉄筋の位置変更をすることなくシアコネクタを固定する取付け手順を示す。
【００１２】図４は、予めねじ付きスタッドが溶接された鋼板が所定の位置に固定された状態を示す。
３のねじ付きスタッドは、背面に設置される鉄筋と干渉する長さではないため、鉄筋と干渉することが無く、鋼板を型枠に取り付けた後に鉄筋の設置を行う手順、または、鉄筋の設置を行った後に鋼板と型枠を同時に設置する手順のどちらであっても、所定の位置に設置できることを特徴とする。
【００１３】図５は、本発明品である１の改良型シアコネクタを、３のねじ付きスタッドに差し込んだ状態を示す。
改良型シアコネクタは、２のリング状取付け台座部にある孔をねじ付きスタッドに差し込むことで３のねじ付きスタッドを中心に回転させることが出来、６の鉄筋の位置を避けて設置することが出来ることを特徴とする。
【００１４】図６は、１の改良型シアコネクタについて、２のリング状取付け台座と３のねじ付きスタッドを、４の締め付け固定用ナットにて固定した状態を示す。
【００１５】図７は、１の改良型シアコネクタが、６の鉄筋の干渉を回避した位置で固定されている状態を示す。
【００１６】以上のように、請求項１に記載の改良された形状のシアコネクタにおいて、請求項２に記載の位置調整が可能な取付け方法、請求項３に記載の着脱が可能な取付け方法により、シアコネクタを有する構造物の現場での取付け位置調整、鉄筋の切断、補強などの改造作業をすることなく、また、鉄筋の設置の手順に関わらず、正しい位置への設置が可能になる。
【産業上の利用可能性】
【００１７】  従来シアコネクタを有する構造物の現場での取付けでは、シアコネクタと背後の鉄筋が干渉し、位置調整、改造が必要であったが、本発明により、現場での取付け位置調整、鉄筋の切断、補強などの改造作業をすることなく、また、鉄筋の設置の手順に関わらず、正しい位置への設置が可能になる。
【図１】
2018062837.tif 000003
【図２】
2018062837.tif 000004
【図３】
2018062837.tif 000005
【図４】
2018062837.tif 000006
【図５】
2018062837.tif 000007
【図６】
2018062837.tif 000008
【図７】
2018062837.tif 000009
【手続補正書】
【提出日】平成28年12月4日(2016.12.4)
【手続補正１】
【補正対象書類名】明細書
【補正対象項目名】０００６
【補正方法】変更
【補正の内容】
【０００６】
【図１】本発明品の組み立て後の状態を示す。
【図２】シアコネクタで定着させる鋼板、または、型鋼を設置する際に、従来の溶接固定シアコネクタを用いた場合に発生する鉄筋との干渉状態の立面図を示す。
【図３】シアコネクタで定着させる鋼板、または、型鋼を設置する際に、従来の溶接固定シアコネクタを用いた場合に発生する鉄筋との干渉状態の等角投影図を示す。
【図４】シアコネクタで定着させる鋼板、または、型鋼を設置する際に、今回の発明品である改良型シアコネクタを取り付けるためのねじ付きスタッドが溶接された鋼板、または、型鋼が所定の位置に固定された状態の等角投影図を示す。
【図５】改良型シアコネクタをねじ付きスタッドに差し込んだ状態の等角投影図を示す。
【図６】改良型シアコネクタとねじ付きスタッドを締め付け固定用ナットで固定した状態の等角投影図を示す。
【図７】改良型シアコネクタが、鉄筋の干渉を回避した位置で固定されている状態の立面図を示す。